Podtech/llm-jp-corpus-v4-ja_patent huggingface dataset:
(57)【要約】      （修正有）【課題】家庭内に安置出来て、引っ越し又は非常等の場合でも手軽に持ち運びができ、大変便利な携帯型遺骨お守り塔を提供する。【解決手段】本体の前面に戒名パネルをはめ込み、前面の奥にカプセルに入れた遺骨を納める納骨所を設け、本体の背面に照明をほどこすことで戒名パネルの彫刻文字を映し出すことを特徴とする携帯型遺骨お守り塔である。これによりお墓を買い求めることによる経済的負担を解消することができる。【選択図】図１
0003146639.tif 000002
【実用新案登録請求の範囲】
【請求項１】
お墓を買い求めなくとも、家庭内にカプセルに入れた遺骨を本携帯型遺骨お守り塔に納め、半永久保存出来る祭壇とするものです。
前面に戒名パネルをはめこみ、（パネルを外して、遺骨カプセルを入れます）
背面より照明を照らし、パネルの彫刻文字を、映しだされます。
【請求項２】
本体には、ボイスレコーダーが組み込まれ、お経又は故人の好きだった歌やお話しなどを録音し、故人の命日等には、いつでも聴く事が出来ます。
前面デスプレーには録音順の番号が、写しだされますので、すきなものおえらんで聴く事が出来ます。
【考案の詳細な説明】
【技術分野】
【０００１】本考案は大切な遺骨を、お墓を持たなくとも半永久に、お守りするための物である。
【背景技術】
【０００２】最近では、お墓を買い求める事が出来ない場合もある。
【考案の開示】
【考案が解決しようとする課題】
【０００３】核家族が進んでいる現代では、お墓を買い求める、又維持管理等による経済的負担なりを解決しようとするものである。
【課題を解決するための手段】
【０００４】本考案は大切な遺骨を分骨し、少量小型化し又小型の本品に入れた事により、綺麗で家庭内どこにでも設置出来る。残りの遺骨は合葬、又は散骨等とします。
【考案の効果】
【０００５】上述のように本品が、小型化（Ｈ１４０ミリＷ８０ミリぐらい）された事により、マンション等の引っ越し、又長期出張などにも、手軽に持ち運びが自由になり手元に置き、いつでも礼拝できる。
【実施例１】
【０００６】本品は前面パネルを外し、その奥の納骨所にカプセルに入れた遺骨をカプセルごと納め、パネルをもとに戻します。カプセルの大きさはＨ２０ミリＷ２０ミリぐらいで、ガラス又はプラスチック製です。
【実施例２】
【０００７】本品台座部分にはデジタルアンプが組み込まれ、故人の命日等にわ、内部に録音されているお経等を、いつでも聴く事ができます。前面パネルの背面には照明がほどこされ、彫刻された戒名文字が写しだされます。【０００８】本品には、電池切れの心配のないように、ＡＣ１００Ｖ用アダプターが準備されています。【０００９】本品の材質は、石材、紫檀、黒檀、金属、木材、メッキ、等で注文により大きさ及び形状が異なります。
【図面の簡単な説明】
【００１０】
【図１】本考案の遺骨を納める本体の正面図である。
【図２】本考案本体の側面図である。
【図３】遺骨を入れるカプセルである。
【符号の説明】
【００１１】  １    携帯型遺骨お守り塔本体
２    戒名用パネル
３    アンプ用デスプレ−
４    音響用スイッチ類
５    戒名用パネル（彫刻文字入り）
６    照明用ＬＥＤ
７    納骨用すぺーす
８    電池ボックス
９    アンプボックス
１０    スピーカー
１１    電池ボックスカバ−
１２    電源アダプタ−用コネクタ−
１３    イヤホン用コネクタ−
１４    遺骨入れカプセルの蓋
１５    遺骨入れカプセル
【図１】
0003146639.tif 000003
【図２】
0003146639.tif 000004
【図３】
0003146639.tif 000005
【手続補正書】
【提出日】平成20年6月26日(2008.6.26)
【手続補正１】
【補正対象書類名】実用新案登録請求の範囲
【補正対象項目名】全文
【補正方法】変更
【補正の内容】
【実用新案登録請求の範囲】
【請求項１】
本体の前面に戒名パネルをはめこみ前面の奥にカプセルに入れた遺骨を納め背面に照明をほどこし彫刻文字を映し出す事を特徴とした携帯型遺骨お守り塔。
【請求項２】
本体にお経又は故人の好きだった唄やお話等を録音したボイスレコーダを組み込み本体前面に録音順の番号を映し出すデスプレーをそなえた請求項１記載の携帯型遺骨お守り塔。
【手続補正書】
【提出日】平成20年8月21日(2008.8.21)
【手続補正１】
【補正対象書類名】実用新案登録請求の範囲
【補正対象項目名】全文
【補正方法】変更
【補正の内容】
【実用新案登録請求の範囲】
【請求項１】
本体の前面に戒名パネルをはめ込み、前面の奥にカプセルに入れた遺骨を納める納骨所を設け、本体の背面に照明をほどこすことで戒名パネルの彫刻文字を映し出すことを特徴とする携帯型遺骨お守り塔
(57)【要約】【課題】本考案は、ポンプ付アメニティボトルにおいてシャンプー等内容物が残り僅かとなるとポンプでは吸い取れない残量を、ボトル下層部が本体から容易に分離・結合できる構造とすることで最後まで適量取り出せ、無駄なく使いきれるようにする。【解決手段】本考案はボトル下層部と分離・結合する寸法に内ネジを成型した底抜けの上側ボトル１と、ボトル上側と同様に外ネジを成型した下層部ボトル５に、汎用のポンプ３とポンプチューブ４を組み合わせることで、内容物が残り僅かとなると、ボトル下層部を分離することで無駄なく容易に取り出すことが可能となり、従来のポンプをボトルから抜き取り、逆さに振り出して使ったりする手間や、水を溶かし込み一度に使い切ってしまうもったいない使い切り方等、個人差のある使い切り方から手間と無駄が省け、節約に役立つ。【選択図】図２
0003146685.tif 000002
【実用新案登録請求の範囲】
【請求項１】
シャンプーやリンスなどを内容物とするポンプ式アメニティボトルにおいて、ボトル本体の底から高さ３ｃｍ前後にあたるボトル下層部と、一方のボトル上側が分離・結合を可能とした構造を特徴とし、ボトル下層部の結合部を外ネジ成型、ボトル上側は内ネジ成型したネジ継ぎ手を有するポンプ式アメニティボトル。
【請求項２】
請求項１の構造を特徴とし、ボトル下層部の結合部をオス構造に成型、ボトル上側の結合部をメス構造に成型し、各々の結合部表面に接着されたマグネットを有するポンプ式アメニティボトル。
【考案の詳細な説明】
【技術分野】
【０００１】ボトル下層部が分離・結合可能なポンプ式アメニティボトル
【背景技術】
【０００２】汎用のポンプ式アメニティボトルでは、シャンプーやリンスなど残り僅かになると吸い取れない数回分使用可能な残量が存在し、その使い切り方に個人差、手間、過剰消費が発生していた。もしくは、使い切らずに破棄してしまうといった、もったいないことがあった。
【考案の開示】
【考案が解決しようとする課題】
【０００３】汎用のポンプ式アメニティボトルでは、シャンプーやリンスなど残り僅かになると、どうしてもポンプチューブの届かない底や下層部の側壁に付着した残量が存在する。その使い切り方には個人差があり、使い切るためにはポンプキャップを外し、逆さまして振り出そうとすることで意に反して多量に出てしまったり、水を溶かし込んで必要以上の量を一度に使い切ってしまっていた。従って、ボトル下層部が本体から容易に分離できれば、手やさじを使うか、あるいは傾けるだけで必要な分だけを無駄なく容易に取り出すことで節約が可能になり前述の欠点を解決しようとするものである。
【課題を解決するための手段】
【０００４】本考案は、ポンプ付アメニティボトルにおいて底から３ｃｍ前後のボトル下層部が本体と容易に分離・結合可能な構造とすることが特徴的であり、課題を解決している。それに加え、本体との分離・結合構造は、請求項１のネジ継ぎ手を有する成型と請求項２のオス・メス構造に成型した各表面にマグネットを接着した考案に分けられる。浸水を防止する観点からネジ継ぎ手については、ボトル上側本体を内ネジ、下層部を外ネジとした構造を採用する。【０００５】マグネットによる分離・結合については、ボトル上側の結合部をメス構造に成型、下層部のボトル結合部をオス構造に成型し、各々の結合部表面にはマグネット、あるいはシート状マグネットを接着剤によりしっかりと接着させる。
【考案の効果】
【０００６】内容物残量が僅かになるとポンプチューブでは吸い取れなくなる残量に対して、ボトル下層部を分離することで必要な分だけを無駄なく容易に取り出せて最後まで使いきれるようになることで、これまでのポンプキャップを緩めてポンプチューブを抜きとり、ボトルを逆さまにして振い出す手間が省け、且つ、一度に出しすぎてしまうこともなくなる。さらに、水をくわえて一度に使い切ってしまう過剰消費や、そもそも使い切らずに捨ててしまうといった、もったいない使い方がなくなり節約に役立つ。
【考案を実施するための最良の形態】
【０００７】上述の通り、ボトル本体の底から高さ３ｃｍ前後にあたるボトル下層部と、一方の上側本体との分離・結合構造については、ネジ継ぎ手を有する考案とマグネットを使用する考案の二つが浸水防止、内容物漏えい防止、手軽さの観点から最良の構造である。ネジ継ぎ手による成型は、ネジ継ぎ手製造装置等を用い、ボトル上側を内ネジ成型、下層部側を外ネジ成型に製造する。内ネジ、外ネジを上下逆にすると、同じ結合した状態でも結合部からの僅かな浸水が考えられるため最良ではない。【０００８】マグネットを使用する考案においては、ボトル上側の結合部をメス構造に成型、下層部のボトル結合部をオス構造に成型とすることで、同様の浸水を防止する。また、シャンプーなどの内容物重量を考慮して、ボトル上側と下層部各々の結合部には接着剤によりしっかりとマグネット、あるいはシート状マグネットをボトルと接着すると共に、マグネットの磁力も内容物重量に耐えるものとし、且つ、幼児等の力では容易に分離できない程度以上のものを適選する。
【実施例】
【０００９】以下、添付図面に従って一実施例を元に説明する。
１は汎用プラスチック等のアメニティボトル素材を用い下層部と分離・結合する寸法に内ネジを成型した底抜けの上側ボトル。２はアメニティボトル素材で用いるポンプ、３はポンプキャップ、４はポンプチューブ、５は汎用プラスチック等のアメニティボトル素材を用いボトル上側と同様に外ネジを成型した下層部ボトル。
６は内ネジ、７は外ネジであり上側ボトルとボトル下層部を分離・結合できる。【００１０】１は汎用プラスチック等のアメニティボトル素材を用い下層部と分離・結合する寸法にメス構造に成型した底抜けの上側ボトル、２はアメニティボトル素材で用いるポンプ、３はポンプキャップ、４はポンプチューブ、５は汎用プラスチック等のアメニティボトル素材を用いボトル上側と同様にオス構造に成型したボトル下層部、８は最適な磁力を選定したマグネットもしくはシート状マグネットであり各ボトル結合部に接着したもの。
【図面の簡単な説明】
【００１１】
【図１】本考案のボトル下層部がネジ継ぎ手により分離・結合できるポンプ式アメニティボトルの一事例を示す正面図である。
【図２】本ボトルの一部切欠断面図である。
【図３】本考案のボトル下層部がマグネットにより分離・結合できるポンプ式アメニティボトルの一事例を示す正面図である。
【図４】本ボトルの一部切欠断面図である。
【符号の説明】
【００１２】１  上側ボトル
２  ポンプ
３  ポンプキャップ
４  ポンプチューブ
５  ボトル下層部
６  内ネジ
７  外ネジ
８  マグネット（図ではシート状）
９  オス構造に成型
１０メス構造に成型
【図１】
0003146685.tif 000003
【図２】
0003146685.tif 000004
【図３】
0003146685.tif 000005
【図４】
0003146685.tif 000006
(57)【要約】      （修正有）【課題】ミシン糸の整理収納をし易くできるように、上糸とボビンを一対にして収納し、同時に糸口の解れ、糸絡みを解決できる家庭用ミシン糸簡易連結収納具を提供する。【解決手段】ボビンの側円板部を狭持する狭持部４を有しその狭持部は弾力性を有する板状の素材で有って当素材の一方の面の左右に対向して配置された板状素材の略中央部に穴を有し板状素材の他方に両面テープ５を貼付けて構成する。【選択図】図３
0003146697.tif 000002
【実用新案登録請求の範囲】
【請求項１】
ボビンの側円板部を狭持する狭持部を有しその狭持部は弾力性を有する
板状の素材で有って当素材の一方の面の左右に対向して配置された板状素材の略中央部
に穴を有し板状素材の他方に両面テープを有する事を特徴とするボビンとミシン上糸の
連結具。
【考案の詳細な説明】
【技術分野】
【０００１】
本考案は弾力性を有する素材樹脂で作る簡易連結収納具です。                  
【背景技術】
【０００２】
ミシンを使う時  糸の同種同色を揃えて使い易くする。
出願済みの考案物件はミシン糸を使う度に器具を取り付け取り外し
其のつどセッティングする不便さが有ったがこれを改善する方法として
考案した連結具を両面テープで一度上糸台座部分にセッティングすれば
上糸を使い切るまでそのままで良い。
【考案の開示】
【考案が解決しようとする課題】
【０００３】
イ  ミシンを使用するには上糸と下糸(ボビン)が必要です。
別個に保管すると同種同色の糸あわせが不便です。
ロ  糸巻き中のボビンを収納した場合糸口が解れない様に出来ず糸絡みもあり
不便です。
本考案はミシン糸の整理収納をし易く出来る様上糸とボビンを一対にして
収納し同時に糸口の解れ糸絡みを解決して簡易連結収納する事を目的とします。
【０００４】
出願済みの器具はミシン糸をセッティングの度に取り外使用後(収納時)に取り付け
る不便さとボビンの糸口解れと糸絡みが見られたがそれも解決できる。
【特許文献１】実開平７−４３６００
【課題を解決するための手段】
【０００５】
本考案の連結具は両面テープで上糸上部台座に一度セッティングすれば
使う度に取り外し、取り付けの煩雑さが解決できる。
【考案の効果】
【０００６】
簡易連結収納具を製品化する場合、整形し易く安価でミシン糸の種類  色種の多さを
考えれば需要は多大な数になり  商品として成り立つと思われます。
【考案を実施するための最良の形態】
【０００７】
簡易連結収納具は多少弾力性を有した樹脂製の素材でボビンがぴったり狭持
出来る直径２ｃｍの板状で変形８角形円の中心に８ｍｍの穴を有し一方の側に
長さ１２ｍｍ,幅４ｍｍの板状の形の物を左右両対向して配置し内側に曲げ上げる
曲げ立ち上がりに１ｍｍの立ち上がりと根元左右両対向して１箇所ずつ(計２箇所)
切り込み２ｍｍ付、他方の側に両面テープを有します。
この連結具をミシン糸上部台座に後付けして使用する様考案しました。
【図面の簡単な説明】
【０００８】
【図１】連結具を折り曲げる前の状態を示した図です。
【図２】連結具を(図１)から内側へ折り曲げた状態を示した平面図。
【図３】(図２)のA. A線の断面図。
【図４】連結具を上糸巻き上部台座に取り付けた状態を示した図です。
【符号の説明】
【０００９】
１・・・折り曲げ部分
２・・・切れ込み２箇所
３・・・穴
４・・・狭持部
５・・・両面テープ
６・・・下糸巻き(ボビン)
７・・・連結具
８・・・上糸巻き
【図１】
0003146697.tif 000003
【図２】
0003146697.tif 000004
【図３】
0003146697.tif 000005
【図４】
0003146697.tif 000006
(57)【要約】      （修正有）【課題】バッテリー蓋の外れを防止できるゲームパッド・カバーを提供する。【解決手段】ゲームパッド・カバーは、長い溝状となっており、ゲームパッドと噛み合うように作られていて、ゲームパッドのバッテリー蓋ロックピンの凹型溝と対応する箇所に突起部分が設置されており、前記突起部分は前記凹型溝に挿し込まれる。これによって提供されるゲームパッド・カバーは、突起部分が対応するゲームパッドのバッテリー・ロックピンの凹型溝に挿し込まれることによって、ゲームパッドを保護することができるだけでなく、ゲームパッドが落とされてもバッテリー蓋が飛ばされないようにすることができる。【選択図】図１
0003146700.tif 000002
【実用新案登録請求の範囲】
【請求項１】
長い溝状となっているゲームパッド・カバーであって、ゲームパッドと噛み合い、ゲームパッドのバッテリー蓋ロックピンに形成された凹型溝と対応する箇所には突起部分が設置されており、前記突起部分は前記凹型溝に挿し込まれることを特徴とするゲームパッド・カバー。
【請求項２】
請求項1において、前記ゲームパッド・カバーと前記ゲームパッドとは全体のスナップ構造によって噛み合うことを特徴とするゲームパッド・カバー。
【請求項３】
請求項1において、前記ゲームパッド・カバーはプラスチックで作られることを特徴とするゲームパッド・カバー。
【考案の詳細な説明】
【技術分野】
【０００１】
本実用新案はゲーム（TVゲーム）パッドコントローラー分野、特に無線コントローラーパーツ分野に関するもので、更に詳記すれば、ゲームパッド保護用のゲームパッド・カバーに関するものである。
【背景技術】
【０００２】
既存のゲームパッド、例えば任天堂Wiiのゲームパッドの場合、TVゲームの特色として、プレイヤーはゲームパッドを手に持って、ボールを打つ動作を模倣して振り回す。このゲームパッドの裏側にはバッテリーボックスがあって、バッテリーボックスにバッテリーを入れてから、ロックピン付きのバッテリー蓋でバッテリーボックスをかぶせるが、このロックピンとバッテリーを入れるスペース縁との間には一定間隔の凹型溝が開いており、前記凹型溝はヒトの指先でロックピンをバッテリー蓋方向に押して、バッテリー蓋を取り外すことに使われる。ゲームパッドがプレイヤーによって使われる場合、異なる揺れ又は振り回し動作によって、手から落とされ、バッテリー蓋が飛ばされる場合がよくあり、バッテリーが散らばって、近くの品物――例えば家具、家電製品などを壊すか、或いはバッテリーが外れて、環境汚染を招来し易い。
【考案の開示】
【考案が解決しようとする課題】
【０００３】
本実用新案は、バッテリー蓋の外れを防止できるゲームパッド・カバーを提供することを目的とする。
【課題を解決するための手段】
【０００４】
本実用新案によって提供されるゲームパッド・カバーの目的は、次の技術手段によって実現される。
【０００５】
ゲームパッド・カバーは長い溝状（断面凹状）となっており、ゲームパッドと噛み合い、前記ゲームパッドのバッテリー蓋ロックピンに形成された凹型溝と対応する箇所には突起部分が設置されており、前記突起部分は前記凹型溝に挿し込まれる。
【０００６】
上記主な特徴によって、前記ゲームパッド・カバーと前記ゲームパッドとは全体のスナップ構造によって噛み合う。
【考案の効果】
【０００７】
上記技術手段から見ると、本実用新案によって提供されるゲームパッド・カバーは、突起部分が対応するゲームパッド・カバーのバッテリー・ロックピンの凹型溝に挿し込まれることによって、ゲームパッドを保護することができるだけでなく、ゲームパッドが落とされてもバッテリー蓋が飛ばされないようにすることができる。
【考案を実施するための最良の形態】
【０００８】
本実用新案の技術手段をもっとわかり易くするために、添付図面に従って、本実用新案によって提供される実施例を詳しく説明する。
【０００９】
図1、図2及び図3に示されている通り、このゲームパッド・カバー1は長い溝状となっており、ゲームパッド2と噛み合い、ゲームパッド2にはバッテリーボックスがあって、バッテリーボックス上にはバッテリー蓋20があり、このバッテリー蓋20にはバッテリー蓋20の一端に位置するバッテリー蓋ロックピン21があり、バッテリー蓋20の本体部分に連設したバッテリー蓋ロックピン21には、凹型溝22が形成されており、バッテリーを取り出す場合は、バッテリー蓋ロックピン21を凹型溝22の方向に押して、バッテリー蓋20を取り外すことができ、凹型溝22と対応する前記ゲームパッド・カバー1の箇所には突起部分11が設置されており、前記突起部分11は前記凹型溝22に挿し込まれる。
【００１０】
更に、前記ゲームパッド・カバー1と前記ゲームパッド2とは全体のスナップ構造によって噛み合っており、前記ゲームパッド2は前記ゲームパッド・カバー１の中に挿し込まれる。
【００１１】
本実用新案によって提供されるゲームパッド・カバー１は、突起部分が対応するゲームパッドのバッテリー・ロックピンの凹型溝に挿し込まれることによって、ゲームパッドを保護することができるだけでなく、ゲームパッドが落とされてもバッテリー蓋が飛ばされないようにすることができる。
【００１２】
以上は本実用新案の実施例によって提供されるゲームパッド・カバーに対する詳しい紹介であり、本分野の一般技術者にとって、本実用新案の実施例による考え方は、具体的な実施方式及び応用範囲において変わる所もあると思われるが、全体的に言って、本明細書の内容は本実用新案に対する制限であると理解してはいけない。
【図面の簡単な説明】
【００１３】
【図１】本実用新案の実施例によって提供されるゲームパッド・カバーの概略側面図である。
【図２】本実用新案の実施例によって提供されるゲームパッド・カバーをゲームパッドに取り付けた概略側面図である。
【図３】本実用新の実施例によって提供されるゲームパッド・カバーをゲームパッドに取り付けた概略斜視図である。
【図１】
0003146700.tif 000003
【図２】
0003146700.tif 000004
【図３】
0003146700.tif 000005
(57)【要約】      （修正有）【課題】買物袋を上、下、２段にし下部収納は潰れ防止手段を講じ、未使用時は折りたたむことができる買物袋である。【解決手段】買物袋に２段にした収納入れを設ける。上部収納には多種多様な品物を入れ、下部収納にはチャックを付けて四方からの力に耐えられる軽い素材の箱形の枠を設ける。これにより内部の平行を保つことができ、生鮮食品や惣菜等の実崩れを防止することができ、未使用時には上部収納を折りたたんでコンパクトにして持ち運ぶことができる。【選択図】図１
0003146644.tif 000002
【実用新案登録請求の範囲】
【請求項１】
買物袋を２段にした収納入れを設け、上部収納に多種多様な品物を入れ下部収納れは四方からの力に耐えられる軽い素材で箱形の枠を設け、チャックを付け下部収納はそこから出し入れし平行を保たせる商品、生鮮食品、惣菜等、実崩れを防止し持ち運べ、未使用時には、上部収納入れを折りたたんでコンパクトにして持ち運べる買物袋。
【考案の詳細な説明】
【技術分野】
【０００１】本考案は、出し入れが上部、下部に分かれ、未使用時は、折りたたんむことの買物袋である。
【背景技術】
【０００２】スーパー等で多種、多様な買物した際い押し潰され易い品物とか、生鮮食品類の収納する時、１つ又は２つの袋に割け工夫をしていた。
【考案の開示】
【考案が解決しようとする課題】
【０００３】多種多様な品物を購入しても最小限の手荷物で収まる様に１つの買物袋で安定する様に、２段に分け、持ち運べる買物袋に前述の欠点を解決しようとするものである。
【課題を解決するための手段】
【０００４】本考案は、上部、下部と独立した収納にし、下部収納入れは、四方からの圧力に耐える軽く適宜素材で箱形にする事に依り生鮮食品、惣菜等、実崩れを嫌う食品を整然収納し、上部収納入れは、野菜、果物等多様な品物を入れて持ち運べる買物袋である。
【考案の効果】
【０００５】上述の様に、本考案１つの買物袋を２段に独立した収納入れにする事依り品物が整然と収納し、品質も落す事なく持ち運べる事ができる。
【考案を実施するための最良の形態】
【０００６】下部収納入れに取り付けられたチャックで開、閉し、出し入れでき、四方からの圧力に耐える箱状になっているので押し潰される事がないので生鮮食品、惣菜等、実崩れを防止し、鮮度が保ち、持ち運ぶ事ができ、上部収納は多様な品物が易いに入れる事ができる。
未使用時は、上部収納を折りたたみコンパクトにし持ち運ぶ事ができる。
【実用例】
【０００７】以下添図に従って一実施例を説明する。図１−１は多種多様な品物を入れ、５は軽く硬い適宜素材で作った箱形になっているので生鮮食品、惣菜等、実崩れを防ぎたい品物は、６のチャックで開閉して収納し商品を保ちながら持ち運ぶことができる。
【０００８】未使用で持ち運ぶ時は、図２で１の上部収納を折りたたみ３のホックで固定させ２の手提げ紐が取り外しが可能なので図２の位置に取り付けて持ち運ぶことができ、小量の買物時、６のチャックが上にあるのでこの状態で使用することもできる
【図面の簡単な説明】
【０００９】
【図１】本考案の上、下２段収納した買物袋立体図である。
【図２】買物袋を折りたたんだ図である。
【図３】買物袋の下部収納内の一部次断面図である。
【符号の説明】
【００１０】１．上部収納入れ
２．手提げ紐
３  凸ホック
４  ホック貫通穴
５  上部府板
６  下部収納入れ
７  チャック
８  下部収納板
９  凹ホック
【図１】
0003146644.tif 000003
【図２】
0003146644.tif 000004
【図３】
0003146644.tif 000005
【手続補正書】
【提出日】平成20年8月27日(2008.8.27)
【手続補正１】
【補正対象書類名】実用新案登録請求の範囲
【補正対象項目名】全文
【補正方法】変更
【補正の内容】
【実用新案登録請求の範囲】
【請求項１】
買物袋を２段にした収納入れを設け、上部収納に多種多様な品物を入れ下部収納入れは、四方からの力に耐えられる軽い素材で箱形の枠を設けチャックを付け下部納は、そこから出し入れし平行を保たせる商品  生鮮食品、惣菜等、実崩れを防止し、持ち運べ、未使用時には上部収納入れを折りたたんでコンパクトにして持ち運べる買物袋。
(57)【要約】      （修正有）【課題】広告効果の向上を図る企業広告付き紙ナフキンを提供する。【解決手段】紙ナフキン本体１の下部の企業広告スペース２に企業名及び商品・サービス内容を印刷し、食卓での話題になる確率を上げ、マーケットを絞った宣伝をする。食卓という会話の場所に置かれる紙ナフキンに広告を掲載することによって口コミによる広告効果の向上を図ることができる。【選択図】図１
0003146646.tif 000002
【実用新案登録請求の範囲】
【請求項１】
１の下部分２に企業名称及び商品名等の企業広告が印刷された企業広告付き紙ナフキン。
【考案の詳細な説明】
【技術分野】
【０００１】  本考案は、紙ナフキンに広告スペースを設けた、企業広告付き紙ナフキンに関するものである。
【背景技術】
【０００２】  今までは紙ナフキンに企業広告を掲載することがなく、ＴＶや雑誌・新聞を媒体とした広告方法しか存在しなかった。
【考案の開示】
【考案が解決しようとする課題】
【０００３】より効果的に、企業・企業のサービスや製品が人々の間で話題になり、広告効果の向上を図るものである。
【課題を解決するための手段】
【０００４】食卓という会話の場所に置かれる紙ナフキンに広告を掲載することによって従来の広告媒体よりも話題に上がる確率を高め、口コミによる広告効果の向上を図ることができる。
また、設置する店舗によって、マーケットを絞った宣伝をすることができる。
【図面の簡単な説明】
【０００５】
【図１】紙ナフキン本体に企業広告スペースを設けたものである。
【符号の説明】
【０００６】１  紙ナフキン本体
２  企業広告スペース
【図１】
0003146646.tif 000003
【手続補正書】
【提出日】平成20年9月22日(2008.9.22)
【手続補正１】
【補正対象書類名】実用新案登録請求の範囲
【補正対象項目名】全文
【補正方法】変更
【補正の内容】
【実用新案登録請求の範囲】
【請求項１】
本体の下部分に位置するスペースに、企業名称または商品名を含む企業広告が印刷された企業広告付き紙ナフキン。
(57)【要約】      （修正有）【課題】封筒やハガキ、あるいは、ダンボールケースなどを受け取った人が、その受領した物に貼られたラベルを簡単に剥がせることによって、封筒やハガキ、ダンボールケースなどをあたかも新品として再利用できることを目的とする。【解決手段】リタックシールと呼ばれる再剥離が可能な粘着力の弱いシールを、封筒等の表面にあらかじめ貼っておき、その上に送り先の住所、氏名などを記載することにより、受け取った側は封筒を再利用したいとき、その表面のシールを剥がすだけで、新品同様に使用が可能となる。【選択図】図２
0003146650.tif 000002
【実用新案登録請求の範囲】
【請求項１】
再剥離が可能な粘着力の弱いリタックシールを予め貼り付けた、封筒やハガキ、あるいはダンボールケースを受け取った人が、その受領した物に貼られたラベルを簡単に美しく剥がせることによって、封筒やハガキ、ダンボールケースなどをあたかも新品として再利用できる技術。
【考案の詳細な説明】
【技術分野】
【０００１】  本考案は、住所の書かれた封筒やハガキあるいは送り状の貼られたダンボールケースなどを新品同様に再利用できる新規技術を提供するものである。
【背景技術】
【０００２】  封筒やハガキなどの郵送物は、従来送り側が１回利用するためだけの立場に立って使用されており、その表面に送り先の住所や宛名が書かれていたり、あるいは切手が貼られていたりするため、再利用は困難であった。またダンボールなどでは送り状ラベルが貼られているが、再利用のためそれらを剥がしたとしても、剥がし後が汚いため、廃棄するケースが多かった。
【考案が解決しようとする課題】
【０００３】  本考案は、封筒やハガキ、あるいは、ダンボールケースなどを受け取った人が、その受領した物に貼られたラベルを簡単に剥がせることによって、封筒やハガキ、ダンボールケースなどをあたかも新品として再利用できる技術を提供することを目的とする。
【課題を解決するための手段】
【０００４】  上記課題を解決するため、本考案はリタックシールと呼ばれる再剥離が可能な、粘着力の弱いシールを使用する。たとえば封筒であれば、その表面全体にあらかじめリタックシールを貼っておき、その上に送り先の住所、氏名などを記載する。封筒のふたの部分もリタックシールを用い封緘すれば、受け取った側は封筒をはさみなどで破ることなく、シールを剥がすだけで開封できる。封筒を再利用したいとき、その表面のシールを剥がすだけで、新品同様に使用が可能となる。ダンボールケースに貼られている送り状も、このリタックシールを利用することによって、送り状ラベルが簡単に美しく剥がすことができ、剥がした後の表面は新品と変わらず、ダンボールケースを再利用することができるものである。
【考案の効果】
【０００５】本考案は、従来より存在する粘着力の弱いリタックシールと呼ばれる弱粘着性のシールを使用するもので、貼った場所から剥がれやすい性質を利用し、受け取った側が簡単にかつ美しくシールを剥がすことができる。従来との考え方の違いは、受け取った側が再利用を考えるのではなく、送り主側が主体的に封筒やハガキ、ダンボールの再利用を意識することによって、受取側に再利用を促すことができ、資源の有効利用にもつながるものである。
【０００６】  また、予め、封筒やハガキなどの場合、リタックシールを貼る前の元の表面に返信先の住所を印刷しておくことにより、受け取った側が、表面のシールを剥がすだけで、もとの封筒やハガキを利用して、そのまま返信することが可能である。アンケート回答用のハガキや封筒として直ぐに利用可能となる。
【考案を実施するための最良の形態】
【０００７】  以下、本考案にかかるリタックシールの利用実施形態の例について図に基づいて説明する。ここで、図１は本考案にかかるリタックシールを利用する前の封筒の平面図である。図２はリタックシールを全面に貼り、宛先を記載した封筒の平面図、図３はリタックシールを剥がした後の封筒の平面図である。【０００８】図において封筒本体１は一般に市販されている封筒であり、表面は上質紙やクラフト紙などの紙で構成されている。【０００９】  封筒を受け取った側は、封筒を再利用する際、表面に貼られたリタックシール２を剥がすだけで図３のようにこの封筒を新品同様に再利用できる。また元の封筒の表面にあらかじめ返信用の宛先を印刷しておいても良い。【００１０】  前記使用される封筒の紙の材質はクラフト紙、上質紙、コート紙、アート紙以外にも特に限定されず、リタックシールを剥がした際に表面が破れにくい素材であれば、あらゆる紙素材が使用可能である。またポリプロピレン、ナイロン、アルミニウム、ポリエチレン等のプラスチックフィルムであっても使用できる。【００１１】  前記に使用するリタックシールは粘着力が弱いことが条件で、封筒、ハガキから簡単に剥がすことのできる程度の粘着力であれば、その紙質自体は引っ張った時に破れにくいものであれば特に限定されない。【００１２】  リタックシールの貼り位置は特に限定されないが、全面に貼らずとも、必要最低限の部分に貼れば良い。但し、封筒、ハガキの場合、消印が押されると予想される部分には貼っておく必要がある。【００１３】  封筒にリタックシールを貼り付ける方法は特に限定されず、手作業や自動機で貼り付けても良い。
【図面の簡単な説明】
【図１】図１は、一般的な未使用の封筒である。
【図２】図２は、リタックシールを貼り付けし、宛先を記載した後の封筒である。
【図３】図３は、リタックシールを剥がした後の封筒である。
【符号の説明】
１  封筒本体
２  リタックシール
【図１】
0003146650.tif 000003
【図２】
0003146650.tif 000004
【図３】
0003146650.tif 000005
【手続補正書】
【提出日】平成20年8月15日(2008.8.15)
【手続補正１】
【補正対象書類名】実用新案登録請求の範囲
【補正対象項目名】全文
【補正方法】変更
【補正の内容】
【実用新案登録請求の範囲】
【請求項１】
再剥離が可能な粘着力の弱いリタックシールを予め貼り付けた、封筒やハガキ、あるいはダンボールケースを受け取った人が、その受領した物に貼られたラベルを簡単に美しく剥がせることによって、再利用可能な封筒、ハガキ、ダンボールケース。
(57)【要約】【課題】  老人の目薬点眼時に、目薬容器の位置が良く視認できず、点眼に失敗してしまうことに対する対策。【解決手段】  差込口２を目薬容器の注ぎ口下部に装着し、目薬点眼を行うと、２の周囲に描かれた模様により、目薬容器の位置を容易に把握することができ、点眼に失敗する確率を下げることができる。【選択図】図１
0003146645.tif 000002
【実用新案登録請求の範囲】
【請求項１】
目薬容器に装着する差込口と、この差込口の周囲に儲けた、点眼位置をわかり易くするための部分と、を備えた点眼補助具。
【考案の詳細な説明】
【技術分野】
【０００１】  本考案は老人の目薬点眼を容易に行うための点眼補助具に関する。
【背景技術】
【０００２】  従来の点眼補助具は、目薬容器を点眼最適位置に固定するためのものであった。
【考案の開示】
【考案が解決しようとする課題】
【０００３】  しかしこれでは、ある程度複雑な機構を備えざるを得ず、結果として点眼補助具としては高額なものとなってしまう。そこで、老人が点眼を行う際、目薬容器の位置を視認できずに失敗してしまうことを防ぎ、なおかつ低コストで生産可能な点眼補助具を考案する必要があった。
【課題を解決するための手段】
【０００４】  円盤状に形成した点眼補助具本体１の差込口２を目薬容器の注ぎ口下部分に装着する。２の周囲に、目薬容器の中心位置を分かり易くするための模様を描く。
【考案の効果】
【０００５】  目薬容器の注ぎ口下部分に点眼補助具本体１を装着すると、差込口２の周囲に描かれた模様によって、目薬容器の位置や中心を容易に判断することができる。これにより、老人は目薬容器を点眼の最適位置にもっていくことができる。
【考案を実施するための最良の形態】
【０００６】  本考案に係る点眼補助具１は、図１に示すように、目薬容器の注ぎ口下部に装着するための差込口２を備えている。２の大きさは、一般的な目薬容器の注ぎ口の大きさに応じて決めればよい。また、２の周囲に、目薬容器の位置を知らせるための模様を描く。素材には、１を目薬容器に装着した状態で自立する程度の強度が必要である。
【図面の簡単な説明】
【０００７】
【図１】  本考案に係る、点眼補助具を示した平面図である。
【図２】  本考案に係る、点眼補助具の装着例を示した斜視図である。
【符号の説明】
【０００８】  １  点眼補助具本体
２  点眼補助具下部の差込口
【図１】
0003146645.tif 000003
【図２】
0003146645.tif 000004
【手続補正書】
【提出日】平成20年8月13日(2008.8.13)
【手続補正１】
【補正対象書類名】実用新案登録請求の範囲
【補正対象項目名】全文
【補正方法】変更
【補正の内容】
【実用新案登録請求の範囲】
【請求項１】
目薬容器に装着する差込口と、この差込口の周囲に儲けた、点眼位置をわかり易くするための模様を設けた部分と、を備えた点眼補助具。
(57)【要約】      （修正有）【課題】サンダルの接足面に、凸の形と凸の位置を工夫する事によりＯ脚・骨盤・背骨・外反母趾・内反小指の矯正をする台所用サンダルを提供する。【解決手段】台所用サンダルにおいて、小指側指骨と中足骨の間に凸部２を設け、又、踵側にも凸部３を設け、さらに土踏まずの位置にも凸部４を設ける。この構造を採用することで、台所の立ち方の癖で歪ませた体のバランスを整えることができるようになる。【選択図】図１
0003146647.tif 000002
【実用新案登録請求の範囲】
【請求項１】
台所の立ち方の癖で歪ませた体のバランスを整える事を特徴とした台所用サンダルである。
【考案の詳細な説明】
【技術分野】
【０００１】本考案は、接足面に凸を付ける位置により、足の裏から全身の筋肉が体の中心に向かって引き上がりＯ脚・骨盤が矯正され、背筋が伸び肩と首の余分な力が抜けるように工夫されている。
【考案の開示】
【考案が解決しようとする課題】
【０００２】本考案は、Ｏ脚・骨盤矯正・外反母趾・内反小指に効果が有り体の歪みを解消するものである。
【課題を解決するための手段】
【０００３】小指側の指骨と中足骨の間に凸を付ける事により短指伸筋が伸び、親指も外に広がりやすくなるので内反小指・外反母趾に効果的であり、踵の外側の高さを５ｍｍにし、内側に向かって低くなる様に傾斜をつける事により、重心が内側にかかり、重心が内側にかかる事でＯ脚改善に効果があり、内側にかかった力を土踏まずの位置で支える事により、内側広筋・内転筋を引き上げ、骨盤を矯正し広背筋が引き上がり良い姿勢を作ります。
鼻緒は親指と人差し指の間を刺激し、正しい位置に重心をかける為の手段である。
【考案の効果】
【０００４】年齢と共に骨盤が歪み、その為にＯ脚になり腰痛・膝の痛みを引き起こします。特に女性は台所の立ち方の癖で体を歪ませてしまう事が多い。
このサンダルは正しい重心の位置を体で感じ筋肉が引き上がり姿勢良く立つ事が出来ます。
【考案を実施するための最良の形態】
【０００５】毎日、台所に立つ時に履く事で体全体の筋肉のバランスが整うサンダルです。
【図面の簡単な説明】
【０００６】
【図１】本考案の台所用サンダルの平面図である。
【図２】本サンダルの側面図である。
【図３】各部所の凸の形を示したものである。
【符号の説明】
【０００７】１  鼻緒
２  小指側の突起物
３  踵の突起物
４  土踏まずの突起物
【図１】
0003146647.tif 000003
【図２】
0003146647.tif 000004
【図３】
0003146647.tif 000005
【手続補正書】
【提出日】平成20年8月26日(2008.8.26)
【手続補正１】
【補正対象書類名】実用新案登録請求の範囲
【補正対象項目名】全文
【補正方法】変更
【補正の内容】
【実用新案登録請求の範囲】
【請求項１】
台所の立ち方の癖で歪ませた体のバランスを整えるために、小指側の指骨と中足骨の間に凸部を設け、踵側に凸部を設け、さらに、土踏まずの位置にも凸部を設けた事を特徴とする台所用サンダル。
(57)【要約】      （修正有）【課題】任意の場所に設置し、常に反復使用することで暗記・記憶を定着させることにより、学習意欲と学習効果を確立させるための差込カード式教材を提供する。【解決手段】文字カードを入れることの出来る袋を装備した透明のプラスチック板２枚を、リングで連結したものが基本構造。連結部を軸に回転して重ね合わせたり、開けたりして文字カードを確認出来る。固定板には、四隅に連結用の穴が開いている。固定板に重ねられる可動板には、上部の左右が指きり部分として切り取られている。固定板に上部の左右に２個のマグネットが、また重ね合わせる可動板には、固定板のマグネットに合致するよう指きり部分の内側に２個のマグネットが組み込まれている。プラスチック板２枚の状態のものが、リングを利用して下方に数段、連結して吊り下げられるような構造になっている。【選択図】図３
0003146643.tif 000002
【実用新案登録請求の範囲】
【請求項１】
文字カードを入れることの出来る袋を装備した透明のプラスチック板２枚を、リングで連結したものが基本構造。連結部を軸に回転して重ね合わせたり、開けたりして文字カードを確認出来る。
固定板には、四隅に連結用の穴が開いている。固定板に重ねられる可動板には、上部の左右が指きり部分として切り取られている。
プラスチック板には、重ね合わせるためのマグネットが組み込まれている。固定板に上部の左右に２個のマグネットが、また重ね合わせる可動板には、固定板のマグネットに合致するよう指きり部分の内側に２個のマグネットが組み込まれている。
プラスチック板２枚の状態のものが、リングを利用して下方に数段、連結して吊り下げられるような構造になっている。
【考案の詳細な説明】
【技術分野】
【０００１】  本考案は、任意の場所に設置し、常に反復使用することで暗記・記憶を定着させることにより、学習意欲と学習効果を確立させるための、差込カード式教材である。
【背景技術】
【０００２】  従来のカード式記憶法は、単語カードなどで見られるように厚紙をリングでつないだもので、個人の使用範囲にとどまっている。本考案は、多人数で同時に見られるように作成され、ゲーム化、クイズ化することにより、児童生徒の興味を引き出すことが出来る。【０００３】  本考案に関連するものとして、次の実用新案があるが、カード作成に限られている。【０００４】  実用新案登録第３１３８７６６号
【考案の開示】
【考案が解決しようとする課題】
【０００５】  従来の単語カードなどによる暗記は、個人的な使用であり意欲のある者とない者の差が出てくる。意欲のない者にも興味を感じさせ、教育における暗記力の増加、手助けをするものである。
【課題を解決するための手段】
【０００６】  本考案は、設置する場所を選ばない。（トイレの入り口、掲示板、教室の出入り口、運動具置き場、廊下、階段など）【０００７】  マグネットと回転リングつきのため、簡単に質問・解答を見ることが出来る。【０００８】  カード差込部分は、カード厚さを考慮して厚みを持たせているため、簡単にカード入れ替えが出来る。
【考案の効果】
【０００９】  以上説明したように、本考案を使用することで質問カードと答えを繰り返し見ることにより、記憶が固定される。【００１０】  勉強意欲のないものも、ゲームとかクイズの感覚で楽しみながら参加するようになる。【００１１】  クラス全体、学校全体の学習能力がレベルアップする。
【考案を実施するための最良の形態】
【００１２】  以下、本考案の実施の形態を図面に基づき詳細に説明する。【００１３】  図１は４段連結の正面図、図２は正面図の最上部のみ抜粋、図３は展開方法図示。
図４は最上部のＡ面（可動板）を開いて、Ｃ面が現れた状態。図５は最上部を側面から見た状態と、Ａ面（可動板）を開いた状態を表す。【００１４】  図１の如く、通常４段にリングで接合されているが、用途によって段数を変えることも出来る。上部カード入れの上の部分に、水平吊り下げ棒との接合リングを取り付けている。【００１５】  図２は、一段目（各段とも同じ形態）の質問カード入れ部分（Ａ面）を図示。カード入れ部分に厚さをもたせているため、カード出し入れが容易である。【００１６】  図３は、質問カード面（Ａ面）を手前に開こうとしている図。図４は、Ａ面を開いてＢ、Ｃ面（解答カード面）が現れた状態である。マグネットでの接合のため簡単に開閉が出来る機構となっている。【００１７】  図５は、開く前と、開いた後の側面図である。
【実施例】
【００１８】  クラス全員の話し合いにより、設置場所、交換要員、問題科目などを決定。
問題作成は、先生作成だけでなく、生徒作成なども取り入れる。
期間を区切り、総括テストをチームに分けてゲーム化する。
個人として、自宅の各所に設置して記憶を固定させることも出来る。
【産業上の利用可能性】
【００１９】  本考案は、教材を製造、販売する産業分野で利用することが出来る。
【図面の簡単な説明】
【００２０】
【図１】４段連結の正面図
【図２】正面図の最上部のみ抜粋、
【図３】展開方法図示。Ｂ面が固定板、Ａ面が可動板、Ｃ面はＡ面の裏側。Ａ面をＢ面から手前に開いて下におろすと、Ｃ面（Ａ面の裏）があらわれる。
【図４】最上部のＡ面（可動板）を開いて、Ｃ面が現れた状態。
【図５】最上部を側面から見た状態と、Ａ面（可動板）を開いた状態。
【符号の説明】
【００２１】Ａ面＝可動板の表面（使用例として、２設問の質問カードを挿入）
Ｂ面＝固定板の表面（設問１の解答カード）
Ｃ面＝Ａ面（可動板）の裏面（設問２の解答カード）
【図１】
0003146643.tif 000003
【図２】
0003146643.tif 000004
【図３】
0003146643.tif 000005
【図４】
0003146643.tif 000006
【図５】
0003146643.tif 000007
【手続補正書】
【提出日】平成20年8月21日(2008.8.21)
【手続補正１】
【補正対象書類名】実用新案登録請求の範囲
【補正対象項目名】全文
【補正方法】変更
【補正の内容】
【実用新案登録請求の範囲】
【請求項１】
文字カードを入れることの出来るＱ＆Ａカード入れであって、
（１）透明プラスチック板製で、固定式カード入れと可動式カード入れを回転リングで連結し、
（２）固定式カード入れには、下部に吊り下げられるよう四隅に連結用の穴が開いており、
（３）可動式カード入れには、左右に指きり部分が切り取られており、
（４）固定式カード入れと可動式カード入れを重ね合わせるためのマグネットが組み込まれる、
「Ｑ＆Ａカード入れ」である。
(57)【要約】      （修正有）【課題】生地に和紙を用い、加工も天然素材のみを使用することにより自然環境保護の一面を担い、化学物質に起因するアレルギー症状の発生の抑制効果が期待でき、服飾品における自然素材の使用の発展を促し提供する。【解決手段】草木染めを施した和紙の表面に、こんにゃくのり等の自然素材を塗布したものを型に貼り重ねて成型する。打解前の和紙原料（楮）を草木染めで染色する。染色後、こんにゃくのりをつけて繊維を広げ、しょうふのりを用いて形に重ね貼りし、例えば、帽子など、所望の形に成型する。【選択図】図１
0003146669.tif 000002
【実用新案登録請求の範囲】
【請求項１】
楮からなる和紙素材にこんにゃくのりを塗布した後成型したことを特徴とする和紙素材による帽子。
【請求項２】
楮からなる和紙素材にこんにゃくのりを塗布したブローチを有する請求項１記載の和紙素材による帽子。
【考案の詳細な説明】
【技術分野】
【０００１】
この発明は、和紙素材による帽子に関するものである。
【背景技術】
【０００２】
従来の帽子には、布や植物茎等の素材を主としているものがあった。
【考案の開示】
【考案が解決しようとする課題】
【０００３】
従来品は、形崩れがしやすく、汚れに弱いものであった。
さらに、従来品に使用されている素材は、必ずしも自然素材のみで構成されているわけではなく、純天然の素材とはいいがたく、自然環境保護及び服飾品における自然素材の使用の発展を促すものではない。
そこで、この考案は、生地に和紙を用い、加工も天然素材のみを使用することにより自然環境保護の一面を担い、化学物質に起因するアレルギー症状の発生の抑制効果が期待でき、服飾品における自然素材の使用の発展を促し提供することを課題とする。
【課題を解決するための手段】
【０００４】
以上の課題を解決するために、和紙素材を使用し、こんにゃくのりを用いることで、汚れにくさ・汚れのおちやすさ・形崩れがしにくい特徴をもつ帽子である。
【考案の効果】
【０００５】
帽子の材料全てに天然素材を用いることにより、環境保護の一面を担い、化学物質に起因するアレルギー症状の発生が起こりにくくなることを期待でき、服飾品における自然素材の使用の発展を促進し、提供することができる。
また、こんにゃくのりを用いたので、汚れにくさ・汚れのおちやすさ・やわらかさを保ちつつも形崩れがしにくいという特徴を持ち、素材のみならず見た目にも素朴なやわらかさを実現するなど、従来品がもちにくい風合いを醸成することもできる。
【考案を実施するための最良の形態】
【０００６】
この考案の一実施形態を、図１・図２に示す。
草木染めを施した和紙の表面に、こんにゃくのり等の自然素材を塗布したものを型に貼り重ねて成型する。
図３に製造工程を示す。打解前の和紙原料（楮）を草木染めで染色する。染色後、こんにゃくのりをつけて繊維を広げ、しょうふのりを用いて形に重ね貼りし、図１・図２に示す帽子の形状に成型する。
また付属のブローチは、花びら状に成型する。打解前の和紙原料（楮）を草木染めで染色する。染色後、こんにゃくのりをつけて繊維を広げ、花びらのかたちに数層重ねて成型する。
【産業上の利用可能性】
【０００７】
帽子やブローチにとどまらず、他の服飾小物への応用が可能である。
【図面の簡単な説明】
【０００８】
【図１】本考案の帽子の実施例を示す平面図。
【図２】同帽子の正面図。
【図３】本考案の製造工程を示すフロー図。
【図１】
0003146669.tif 000003
【図２】
0003146669.tif 000004
【図３】
0003146669.tif 000005
(57)【要約】      （修正有）【課題】サイコロとして、正多角柱を使用することにより、６以上の数字等を表示可能なサイコロを提供する。【解決手段】作製出来るあらゆる可能な材質で、正多角柱形を作る。その正多角柱形の四角形側面に数等を表記し、正多角柱形を鉛筆を転がすようにして投げる。すると正多角柱形が転がり動きが静止した時、真上側に四角形側面が位置し、それと相対する真下には合同の四角形側面が平行して位置する形状とする。【選択図】図３
0003146666.tif 000002
【実用新案登録請求の範囲】
【請求項１】
作製出来るあらゆる可能な材質で作った正６角柱形の６つの四角形側面に０から順に表記すると５まで、１から順に表記すると６までの数等や一月の呼称である古語、睦月（むつき）、如月（きさらぎ）というように順位性をもたせて、または外国語で月々の単語を順位をもたせて記入した正６角柱形サイコロ。
【請求項２】
作製出来るあらゆる可能な材質で作った正８角柱形の８つの四角形側面に０から順に表記すると７まで、１から順に表記すると８までの数等を表示することが出来る正８角柱形サイコロ。
【請求項３】
作製出来るあらゆる可能な材質で作った正１０角柱形の１０ある四角形側面に０から順に表記すると９まで、１から順に表記すると１０までの数等を表示することが出来る正１０角柱形サイコロ。
【請求項４】
作製出来るあらゆる可能な材質で作った正１２角柱形の１２ある四角形側面に０から順に表記すると１１まで、１から順に表記すると１２までの数等や一月の呼称である古語、睦月（むつき）、如月（きさらぎ）というように順位性をもたせて、または外国語で月々の単語を順位をもたせて記入し、表示することが出来る正１２角柱形サイコロ。
【請求項５】
作製出来るあらゆる可能な材質で作った正１６角柱形の１６ある四角形側面に０から順に表記すると１５まで、１から順に表記すると１６までの数等を表示することが出来る正１６角柱形サイコロ。
【請求項６】
作製出来るあらゆる可能な材質で作った正２０角柱形の２０ある四角形側面に０から順に表記すると１９まで、１から順に表記すると２０までの数等を表示することが出来る正２０角柱形サイコロ。
【考案の詳細な説明】
【技術分野】
【０００１】  本考案は、一般のサイコロが６面しか表示出来ないため、それ以上の面を作成出来る正多角柱形サイコロの作製に関するものである。
【背景技術】
【０００２】  従来のサイコロは６面である。正四角形の平面を利用したものであるから、当然６面のものしか出来ない。【０００３】
【特許文献１】    特開２０００−９３６４２
【考案の開示】
【考案が解決しようとする課題】
【０００４】  従来のサイコロでは、６面であるから、６つの表示した印等でしか遊ぶことが出来ない。これを８面、１０面、１２面、１６面、２０面、５０面、６０面、８０面、１００面など可能なサイコロを作ることが出来れば、遊びの範囲は広くなる。例えば１０面を表示出来るサイコロがあると、宝くじの種類にあるナンバーズ３、ナンバーズ４は０から９までの数を自分で選ぶのであるから、１０面のサイコロを転がして楽しみながら数字を決めることが出来る。
【課題を解決するための手段】
【０００５】  上記目的を達成するためには、本考案におけるサイコロは、正多角柱形の四角形側面が偶数面になる正多角柱体を作ることにある。図１を基に説明する。正多角形である側面Ａはサイコロの数を表す面としては使用しない。四角形側面Ｂをサイコロの数等を表記する面として使用する。斜視図は正１０角柱形である。
【考案の効果】
【０００６】  宝くじのナンバーズ３とナンバーズ４という種類は０から９までの数字を選ぶことが出来る宝くじである。サイコロを転がして決めて選ぶのも、また一つの楽しみでもある。１０面あるサイコロを作れば先に述べた宝くじには応用出来る。また、１２面を表示出来るものであれば、数だけに限らず１２カ月の月の呼称、睦月（むつき）、如月（きさらぎ）、弥生（やよい）というように順位性のあるものを記して転がして遊んだりすることが出来る。子供達の知識を高める効果も生まれる。
【考案を実施するための最良の形態】
【０００７】  １０面あるサイコロを作成するには、正１０角柱形をした構造にする。多角形の等しい２辺が交わる角度を１４４度とすれば、正１０角形が出来る。それを正１０角柱形にしたものが、正１０角柱形サイコロになる。
【実施例】
【０００８】添付図〔図３〕と〔図４〕の実施例斜視図のように、正多角柱形の四角形側面に順に数字を表記して作ったサイコロを、鉛筆を転がすようにして投げる。プラスチック、紙、木材等作製出来るあらゆる可能な材質で作られた正多角柱形サイコロ。
【図面の簡単な説明】
【０００９】
【図１】  正１０角柱形を作製した場合の左側正１０角形側面から見た斜視図。
【図２】  正１０角柱形を作製した場合の右側正１０角形側面から見た斜視図。
【図３】  正１０角柱形を作成し、左側１０角形側面から見た実施例図。
【図４】  正１０角柱形を作成し、右側１０角形側面から見た実施例図。
【符号の説明】
【００１０】  Ａ  正１０角柱形の正１０角形側面。
Ｂ  数等を表記する正１０角柱形の四角形側面部。
【図１】
0003146666.tif 000003
【図２】
0003146666.tif 000004
【図３】
0003146666.tif 000005
【図４】
0003146666.tif 000006